(57)【要約】【課題】低コスト化及び省スペース化を図りつつ、部品点数を増やすことなく、複数の操作部材を少ない光源で発光させることができ、かつ各操作部材の発光輝度差を抑えることが可能な電子機器を提供する。【解決手段】電子機器は、光透過性を有する複数の操作部材１０〜１２と、互いに隣り合う操作部材１０，１１間及び操作部材１１，１２間に配置される発光素子５０，５１と、操作部材を摺動可能に保持するとともに、発光素子５０，５１からの光線を一方の操作部材１０，１１と他方の操作部材１１，１２に向けて分けて反射させるベース反射部２０１，２１１を有するベース部材２０と、を備える。【選択図】図５
2019075242.tif 000002
【特許請求の範囲】
【請求項１】
光透過性を有する複数の操作部材と、
互いに隣り合う前記操作部材の間に配置される発光素子と、
前記操作部材を摺動が可能に保持するとともに、前記発光素子からの光線を前記互いに隣り合う前記操作部材の一方の操作部材と他方の操作部材に向けて分けて反射させる第１反射部を有するベース部材と、を備えることを特徴とする電子機器。
【請求項２】
前記第１反射部で反射されて前記操作部材に入射する光線の少なくとも一部は、前記操作部材の前記ベース部材に対する前記押し方向の摺動面に設けられた段差を通ることを特徴とする請求項１に記載の電子機器。
【請求項３】
前記第１反射部で反射されて前記操作部材に入射する光線の量が前記複数の操作部材の間で同等になるように、前記第１反射部と前記発光素子とが配置されていることを特徴とする請求項１または２に記載の電子機器。
【請求項４】
前記操作部材には、前記第１反射部で反射されて入射した光線を前記操作部材の操作面の方向に反射する反射面が設けられていることを特徴とする請求項１乃至３のいずれか一項に記載の電子機器。
【請求項５】
外装部材と前記操作部材との間にシーリング部材が設けられ、前記シーリング部材は、光線を透過する材料で形成されていることを特徴とする請求項１乃至４のいずれか一項に記載の電子機器。
【請求項６】
前記発光素子が実装されたフレキシブル配線板を備え、
前記フレキシブル配線板の前記発光素子の近傍には、前記フレキシブル配線板の配線パターンを露出させた配線パターン露出部が配置され、前記配線パターン露出部は、前記発光素子からの光を前記ベース部材の方向へ反射させることを特徴とする請求項１乃至５のいずれか一項に記載の電子機器。
【請求項７】
前記配線パターン露出部および前記第１反射部で反射されて前記操作部材に入射する光線の量が前記複数の操作部材の間で同等になるように、前記配線パターン露出部の配線パターンの間隔が決められていることを特徴とする請求項６に記載の電子機器。
【請求項８】
前記フレキシブル配線板を保持して、前記発光素子からの光線を遮光する遮光部材を備え、
前記遮光部材は、所定の角度で傾斜させた傾斜領域を有し、前記フレキシブル配線板の前記傾斜領域で保持されている領域には、前記配線パターン露出部が配置されていることを特徴とする請求項６または７に記載の電子機器。
【請求項９】
前記所定の角度とは、前記発光素子の発光特性と、前記発光素子と前記遮光部材の前記傾斜領域との間の距離から算出された角度であることを特徴とする請求項８に記載の電子機器。
【発明の詳細な説明】
【技術分野】
【０００１】
本発明は、電子機器に関し、特に暗所での視認性を高めた発光機能を有する操作部材の構成に関する。
【背景技術】
【０００２】
ボタンなどの操作部材を有する電子機器において、操作部材の内部に発光素子を配置して、光透過性を有するボタンを通して導光した光でボタン表面を発光させる構成が提案されている。
【０００３】
例えば、特許文献１では、ボタンの直下に光源を配置して、光源の光を導光ノブの屈折面を介してボタンの操作部に導光する技術が提案されている。
【０００４】
また、特許文献２では、複数の操作部材を備えるキーシートと、キーシートに対向する基板に貼付されたメタルドームシートとの両方に反射シートを設けた技術が提案されている。この提案では、発光素子からの光をキーシート側の反射シートおよびメタルドーム側の反射シートで相互反射することにより、発光素子から遠い操作部材にも光を導き、複数ある操作部材の輝度ムラを防ぐことができるとしている。
【先行技術文献】
【特許文献】
【０００５】
【特許文献１】特開２００３−１００１６６号公報
【特許文献２】特開２０１１−７１９４３号公報
【発明の概要】
【発明が解決しようとする課題】
【０００６】
しかし、上記特許文献１では、ボタンの直下に光源を配置する必要があるため、スイッチ機能部品を配置する十分なスペースを確保することが難しい。また、発光させたいボタンが複数存在する場合、ボタン１つにつき光源１つが必要となるため、製造原価の低減や生産性向上の点で不利である。
【０００７】
一方、上記特許文献２では、キーシートとメタルドームシートのそれぞれに反射シートを設ける必要があるため、部品点数の削減に不利である。
【０００８】
そこで、本発明は、低コスト化及び省スペース化を図りつつ、部品点数を増やすことなく、複数の操作部材を少ない光源で発光させることができ、かつ各操作部材の発光輝度差を抑えることが可能な電子機器を提供することを目的とする。
【課題を解決するための手段】
【０００９】
上記目的を達成するために、本発明の電子機器は、光透過性を有する複数の操作部材と、互いに隣り合う前記操作部材の間に配置される発光素子と、前記操作部材を摺動が可能に保持するとともに、前記発光素子からの光線を前記互いに隣り合う前記操作部材の一方の操作部材と他方の操作部材に向けて分けて反射させる第１反射部を有するベース部材と、を備えることを特徴とする。
【発明の効果】
【００１０】
本発明によれば、低コスト化及び省スペース化を図りつつ、部品点数を増やすことなく、複数の操作部材を少ない光源で発光させることができ、かつ各操作部材の発光輝度差を抑えることが可能な電子機器を提供することができる。
【図面の簡単な説明】
【００１１】
【図１】本発明の電子機器の実施形態の一例であるデジタルカメラを背面側から見た斜視図である。
【図２】（ａ）は図１のＡ−Ａ線断面図、（ｂ）は複数の操作ボタンの関連部品の分解斜視図である。
【図３】ＬＥＤの光線を操作ボタンの発光部に導光する構成を説明する要部断面図である。
【図４】ＬＥＤの発光特性について説明する図である。
【図５】３つの操作ボタンの各発光部に２つのＬＥＤの光線が到達する様子を説明する要部断面図である。
【図６】フレキシブル配線板を操作ボタン側から見た外形図である。
【図７】保持板金の斜視図である。
【図８】ＬＥＤ近傍の配線パターンを示す図である。
【図９】（ａ）はＬＥＤの実装部及び保持板金の傾斜領域に配線された第３集光パターンを示す断面図、（ｂ）は傾斜領域とＬＥＤの発光特性の関係を説明する断面図、（ｃ）は第３集光パターンと集光方向を示す断面図である。
【発明を実施するための形態】
【００１２】
以下、図面を参照して、本発明の実施形態の一例を説明する。
【００１３】
図１は、本発明の電子機器の実施形態の一例であるデジタルカメラを背面側から見た斜視図である。
【００１４】
図１に示すように、本実施形態のデジタルカメラ１（以下、カメラ１という。）は、背面カバー２に、ＬＣＤ等の表示部３が設けられ、表示部３の下側には、各操作ボタン１０〜１３が横方向に並んで設けられている。操作ボタン１０〜１３を操作する事で、撮影画像を表示部３に表示したり、表示部３に表示した画像を消去したり、画像の表示倍率を変更したりする動作をカメラ１に行わせることができる。操作ボタン１０〜１３は、本発明の複数の操作部材の一例に相当する。
【００１５】
操作ボタン１０〜１３の各表面には、それぞれ発光部１０ａ〜１３ａが設けられており、背面カバー２の表示部３の右側に設けられた発光指示部材４を操作することで、発光部１０ａ〜１３ａを発光させることができる。これにより、暗所でカメラ１を操作する場合でも、画像表示や画像消去等の所望の動作を迷うことなく行うことが可能となる。背面カバー２は、本発明の外装部材の一例に相当する。
【００１６】
次に、図２を参照して、複数の操作ボタン１０〜１３の発光部１０ａ〜１３ａを発光させる構成について説明する。図２（ａ）は図１のＡ−Ａ線断面図、図２（ｂ）は操作ボタン１０〜１３の関連部品の分解斜視図である。
【００１７】
操作ボタン１０〜１３は、透明な樹脂等の光透過性を有する材料で形成され、中央部に発光部１０ａ〜１３ａが配置されている。操作ボタン１０〜１３の発光部１０ａ〜１３ａの周囲は操作面とされ、操作面には、黒色の塗装が施されている。
【００１８】
また、操作ボタン１０〜１３の内部底部には、反射面１０ｂ〜１３ｂが設けられ、内部側面には、入光部１０ｃ〜１３ｄが設けられている。反射面１０ｂ〜１３ｂは、入射した光線が全反射する角度で構成されている。このような構成とすることで、入光部１０ｃ〜１３ｃから入射した光線が反射面１０ｂ〜１３ｂで反射し、発光部１０ａ〜１３ａを発光させることができる。操作ボタン１０〜１３の発光部１０ａ〜１３ａ周囲の操作面は、黒色の塗装が施されているため、光が透過しない。なお、本実施形態では、発光部１０ａ〜１３ａを単純な円形形状としたが、カメラ１の機能を表す図形等の任意の形に形成することも可能である。
【００１９】
操作ボタン１０〜１３は、それぞれボタンベース２０に形成された保持穴２０ａ〜２３ａに押圧方向に移動可能に保持されている。ボタンベース２０は、本発明のベース部材の一例に相当する。また、ボタンベース２０には、保持穴２０ａと保持穴２１ａの間に、第１反射部２０１及び第２反射部２０２が設けられ、保持穴２１ａと保持穴２２ａの間に、第１反射部２１１及び第２反射部２１２が設けられている。また、ボタンベース２０には、保持穴２２ａと保持穴２３ａの間に、第１反射部２２１及び第２反射部２２２が設けられている。第１反射部２０１，２１１，２２１及び第２反射部２０２，２１２，２２２は、本発明のベース反射部の一例に相当する。
【００２０】
操作ボタン１０〜１３の裏側には、ゴムスイッチ３０〜３３が操作ボタン１０〜１３に対応して設けられている。ゴムスイッチ３０〜３３の操作ボタン１０〜１３と反対側には、導電部３０１〜３０４が設けられている。導電部３０１〜３０４がフレキシブル配線板４０に設けられた検知パターン４００〜４０３と接触することにより、操作ボタン１０〜１３が押されたことを検知する。
【００２１】
また、フレキシブル配線板４０には、発光素子としてのＬＥＤ５０〜５４が実装されている。ＬＥＤ５１〜５３は、ゴムスイッチ３０〜３３の間に位置するように配置されており、操作ボタン１０〜１３を発光させる際の光源となる。これについての詳細は、後述する。
【００２２】
フレキシブル配線板４０のＬＥＤ５０〜５４が配置された面の反対側には、保持板金６０が配置され、保持板金６０は、不図示のビス等によって背面カバー２に締結されている。保持板金６０は、操作ボタン１０〜１３の押圧時の外力に耐えることができる。また、保持板金６０は、ＬＥＤ５０〜５４からの光が操作ボタン１０〜１３の裏面側へ漏れないように遮光する遮光部材として機能する。シーリング部材７０は、操作ボタン１０〜１３と背面カバー２の間に配置され、操作ボタン１０〜１３の外周部からの水滴や砂塵等の侵入を防止する。
【００２３】
次に、図３を参照して、ＬＥＤ５０の光線を発光部１０ａ，１１ａに導光する構成について説明する。図３は、ＬＥＤ５０の光線を発光部１０ａ，１１ａに導光する構成を説明する要部断面図である。図３に示すように、ＬＥＤ５０は、発光体５０１を有し、発光体５０１は、所定の電流が流れることで所定の波長の光を発光させる。発光体５０１からの光は、図３（ａ）に示すように、ボタンベース２０に入射し、第１反射部２０１で反射する。
【００２４】
第１反射部２０１は、操作ボタン１０側に光線Ａを反射する第１反射面２０１ａと操作ボタン１１側に光線Ｂを反射する第１反射面２０１ｂとで構成されている。第１反射面２０１ａ，２０１ｂは、それぞれＬＥＤ５０からの光線Ａ，Ｂが全反射する角度を有する一対の傾斜面で形成されている。また、第１反射面２０１ａと第１反射面２０１ｂが交差するエッジ位置に対して、発光体５０１の位置は操作ボタン１０側にずれて配置されている。この点についての詳細は後述する。
【００２５】
また、図３（ｂ）に示すように、第１反射部２０１の外側には、ＬＥＤ５０の発光体５０１からボタンベース２０に入射した光を反射する第２反射部２０２が設けられている。第２反射部２０２は、操作ボタン１０側に光線Ｃを反射する第２反射面２０２ａと操作ボタン１１側に光線Ｄを反射する第２反射面２０２ｂとで構成されている。第２反射面２０２ａ，２０２ｂは、それぞれＬＥＤ５０からの光線が全反射する角度を有する一対の傾斜面で形成されている。
【００２６】
操作ボタン１０側に反射した光線Ａ，Ｃは、入光部１０ｃから操作ボタン１０内に入光する。入光部１０ｃは、操作ボタン１０のボタンベース２０に対する押し方向の摺動面に対して一段凹んだ段差形状となっている。このため、操作ボタン１０を繰り返し押し動作を行った後でも、入光部１０ｃの表面状態は変化せず、安定して光線を透過させることができる。入光部１０ｃを透過した光線Ａ，Ｃは、反射面１０ｂによって発光部１０ａ方向に反射する。また、他方の操作ボタン１１側に反射した光線Ｂ，Ｄも同様に、入光部１１ｃから操作ボタン１１内に入光し、反射面１１ｂで反射して発光部１１ａに到達する。
【００２７】
ここで、図４を参照して、ＬＥＤ５０の発光特性について説明する。図４は、円周方向にＬＥＤ５０に対する角度を示し、直径方向に光線強度Ａを示すグラフ図である。ＬＥＤ５０の直上のボタンベース２０と対向する方向を０度として図３の左右後方が９０度方向となる。また、光線強度Ａは、０〜１の相対値で示されている。図４から明らかなように、０度方向が最も光線強度Ａが大きく、９０度付近でほぼゼロとなることが分かる。
【００２８】
このため、図３を用いて説明したように、ＬＥＤ５０の直上にベース第１反射部２０１と第２反射部２０２を設けることによって、最も強度の強い光線部分を効率的に操作ボタン１０，１１に入射させることが可能となる。これにより、少ない電力で発光部１０ａ，１１ａを明るく発光させることができる。
【００２９】
なお、本実施形態では、操作ボタン１０，１１は、透明な樹脂である場合を例示したが、これに限定されず、光線が透過可能な半透明の樹脂であってもよい。半透明の樹脂は、光線を適度に拡散させるため、発光部１０ａ，１１ｂの形状によっては、半透明の樹脂を使用した方が好ましい場合もある。
【００３０】
また、第１反射部２０１及び第２反射部２０２や反射面１０ｂ，１１ｂを完全な反射面とせずに、マット面としてある程度の光線拡散効果を持たせてもよい。さらに、シーリング部材７０を光線透過性の材料で形成し、操作ボタンか１０，１１から漏れた光線がシーリング部材７０を発光させるようにしても操作部材の視認性を向上させる上では有効である。
【００３１】
次に、図５を参照して、操作ボタン間の光量差を抑える構成について説明する。ここでは、簡易的に説明を行うため、操作ボタン１０，１１，１２の３つに入射する、２つのＬＥＤ５０，５１の光線について説明する。図５は、操作ボタン１０〜１２の発光部１０ａ〜１２ａにＬＥＤ５０，５１の光線が到達する様子を説明する要部断面図である。
【００３２】
前述したように、第１反射部２０１，２１１で反射した光線と、第２反射部２０２，２１２で反射した光線とが操作ボタン１０〜１３に入射する。なお、第１反射部２０１，２１１で反射した光線と、第２反射部２０２，２１２で反射した光線とは、同様であるため、ここでは、第１反射部２０１，２１１で反射した光線のみについて説明する。
【００３３】
前述したように、ＬＥＤ５０は、第１反射面２０１ａと第２反射面２０１ｂとが交差するエッジ位置に対して操作ボタン１０側にずらして配置されている。ＬＥＤ５１も同様に、第１反射面２１１ａと第２反射面２１１ｂとが交差するエッジ位置に対して操作ボタン１２側にずらして配置されている。
【００３４】
本実施形態では、ＬＥＤ５０の発光体５０１からの光線のうち、操作ボタン１０に入光する光線Ａの光量と操作ボタン１１に入光する光線Ｂの光量は、Ａ：Ｂ＝２：１となるように、ＬＥＤ５０の位置が決められている。一方、ＬＥＤ５１の発光体５１１からの光線のうち、操作ボタン１１に入光する光線Ｃの光量と操作ボタン１２に入光する光線（Ｄ）の光量は、Ｃ：Ｄ＝１：２となるようにＬＥＤ５１の位置が決められている。このため、各操作ボタンに入射する光量は、次の通りとなる。
【００３５】
操作ボタン１０：２
操作ボタン１１：１＋１＝２
操作ボタン１２：２
よって、操作ボタン１０〜１２に入射する光量は等しくなり、操作ボタン１０〜１２の発光部１０ａ〜１２ａの発光輝度を同等にすることができる。第２反射部２０２，２１２で反射する光も上記比率を満足するように各操作ボタン１０〜１２に入射する。
【００３６】
なお、図５では、３つの操作ボタンを２つのＬＥＤで照らす場合を例示したが、図２に示すように、４つの操作ボタンを３つのＬＥＤで照らす場合でも、各操作ボタンに入射する光量が等しくなるように第１反射部とＬＥＤの位置関係を調整すればよい。また、４つの操作ボタンに対して２つのＬＥＤで照らす場合でも、同様の構成が可能である。
【００３７】
次に、図６乃至図９を参照して、フレキシブル配線板４０及び保持板金６０について説明する。図６は、フレキシブル配線板４０を操作ボタン１０〜１３側から見た外形図である。フレキシブル配線板４０は、複数の配線パターン露出部にそれぞれ金メッキが施されており、ゴムスイッチ３０〜３３との接触性の向上やＬＥＤ５０〜５４の光反射性の向上を図っている。
【００３８】
図６において、検知パターン４００〜４０３は、ゴムスイッチ３０〜３３の下に配置された配線パターン露出部である。検知パターン４００〜４０３には、ＧＮＤパターンと検知用信号パターンが交互に配線されている。操作ボタン１０〜１３が押し操作されると、ゴムスイッチ３０〜３３がＧＮＤパターンと検知用信号パターンの両方に接触・ショートし、不図示の制御部により操作ボタン１０〜１３の押し操作が検知される。
【００３９】
第１反射パターン４１０は、ＬＥＤ５０の周囲に配線された配線パターン露出部であり、ＬＥＤ５０の上方にある第１反射部２０１に向けて光を反射する。第２反射パターン４１１は、ＬＥＤ５１の周囲に配線された配線パターン露出部であり、ＬＥＤ５１の上方にある第１反射部２１１に向けて光を反射する。第３反射パターン４１２は、ＬＥＤ５２の周囲に配された配線パターン露出部であり、ＬＥＤ５２の上方の第１反射部２２１に向けて光を反射する。
【００４０】
第４反射パターン４１６は、保持板金６０の傾斜領域６４（図７参照）に配線された配線パターン露出部であり、ＬＥＤ５３の上方の第１反射部（不図示）に向けて光を反射する。第５反射パターン４１８は、保持板金６０の傾斜領域６６（図７参照）に配線された配線パターン露出部であり、ＬＥＤ５４の上方の第１反射部（不図示）に向けて光を反射する。
【００４１】
第１集光パターン４２０及び第２集光パターン４２２は、ＬＥＤ５０の周囲に配線された配線パターン露出部である。第１集光パターン４２０は、検知パターン４００とＬＥＤ５０の間に配線され、第２集光パターン４２２は、検知パターン４０１とＬＥＤ５０との間に配線されている。第１集光パターン４２０は、ＬＥＤ５０からの光が第１反射面２０１ａに向かって集光するように円弧状のパターンが形成され、第２集光パターン４２２はＬＥＤ５０からの光が第１反射面２０１ｂに向かって集光するように円弧状のパターンが形成されている。
【００４２】
第５集光パターン４３０及び第４集光パターン４３２は、ＬＥＤ５２の周囲に配線された配線パターン露出部である。第５集光パターン４３０は、検知パターン４０３とＬＥＤ５２との間に配線され、第４集光パターン４３２は、検知パターン４０２とＬＥＤ５２の間に配線されている。第４集光パターン４３２と第５の集光パターン４３０は、共にＬＥＤ５２からの光がＬＥＤ５２の上方の第１反射部２２１に向かって集光するように円弧状に配線パターンが形成されている。
【００４３】
第３集光パターン４５０は、保持板金６０の傾斜領域６２（図７参照）に配線された配線パターン露出部であり、ＬＥＤ５１からの光が第１反射部２１１に向かって集光するように円弧状のパターンが形成されている。
【００４４】
操作ボタンからＬＥＤまでの距離は、操作ボタン１０とＬＥＤ５３との間の距離が最も近く、操作ボタン１０とＬＥＤ５０との間、及び操作ボタン１１とＬＥＤ５０との間の距離はほぼ同等であり、操作ボタン１１とＬＥＤ５１との間の距離が最も遠い。操作ボタンとＬＥＤとの間の距離がそれぞれ異なるため、操作ボタンがＬＥＤから反射パターン４１０，４１１や集光パターン４２０，４２２を介さずに直接受光する光線量に差が生じる。
【００４５】
例えば、操作ボタン１０とＬＥＤ５３との間は距離が近く、操作ボタン１１とＬＥＤ５１との間は距離が遠いので、操作ボタン１０がＬＥＤ５３から直接受光する光線量は操作ボタン１１がＬＥＤ５１から受光する光線量よりも大きい。
【００４６】
図７は、保持板金６０の斜視図である。保持板金６０は、それぞれ所定の角度で傾斜した傾斜領域６２，６４，６６を有する。傾斜領域６２，６４，６６の傾斜角度は、傾斜領域近傍に実装されたＬＥＤ５１，５３，５４の発光特性と、ＬＥＤ５１，５３，５４と傾斜領域６２，６４，６６との間の距離によって決定される。傾斜角度の詳細については、図９を用いて後述する。
【００４７】
図８は、ＬＥＤ５０近傍の配線パターンを示す図である。図８において、ハッチング部は配線パターンを示す。図８に示すように、第１集光パターン４２０は、第２集光パターン４２２よりも配線密度（配線パターンの占める面積）が低くなっており、第１集光パターン４２０の集光量の方が第２集光パターン４２２の集光量よりも小さい。
【００４８】
前述したように、各操作ボタンがＬＥＤから直接受光する光線量には差が生じるが、集光パターン４２０，４２２での集光量に差を設けることで、各操作ボタンに入光する光線量がほぼ等しくなる。更に、反射パターン４１０，４１１の面積を増減することにより光線量を調整することも可能である。
【００４９】
図９（ａ）はＬＥＤ５１の実装部及び傾斜領域６２に配線された第３集光パターン４５０を示す断面図、図９（ｂ）は傾斜領域６２とＬＥＤ５１の発光特性の関係を説明する断面図、図９（ｃ）は第３集光パターン４５０と集光方向を示す断面図である。
【００５０】
図９（ａ）に示すように、第３集光パターン４５０は、ＬＥＤ５１に近づくほど配線パターン間隔が狭くなっている。図９（ｂ）において、円弧状の破線Ａは、ＬＥＤ５１の発光特性を表している。前述したように、傾斜領域６２の傾斜角度は、ＬＥＤ５１の発光特性と、ＬＥＤ５１と傾斜領域６２との間の距離とによって算出され、傾斜領域６２が円弧状の破線Ａの接線となっている。
【００５１】
図９（ｃ）の破線Ｂ及び一点鎖線Ｃは、ＬＥＤ５１からの光が第３集光パターン４５０で反射する際の反射方向を示している。ＬＥＤ５１からの光は、第３集光パターン４５０のエッジ部（配線パターンのＬＥＤ５１の方向の端）に当たると、破線Ｂのように一部が第１反射部２１１の方向へ反射する。また、第３集光パターン４５０の配線パターン面にＬＥＤ５１からの光が当たった場合は、配線パターン面への入射角度で反射するため一点鎖線Ｃのようにボタンベース２０の方向へ反射する。よって、ＬＥＤ５１からの光を第３集光パターン４５０のエッジ部に当てると、第１反射部２１１に入光する可能性が高くなる。このため、図９（ａ）のようにＬＥＤ５１に近づくほど第３集光パターン４５０の配線パターン間隔を狭くして光がエッジ部に当たるようにしている。
【００５２】
以上説明したように、本実施形態では、低コスト化及び省スペース化を図りつつ、部品点数を増やすことなく、複数の操作ボタンを少ない光源で発光させることができ、かつ各操作ボタンの発光輝度差を抑えることができる。
【００５３】
なお、本発明の構成は、上記実施形態に例示したものに限定されるものではなく、材質、形状、寸法、形態、数、配置箇所等は、本発明の要旨を逸脱しない範囲において適宜変更可能である。
【００５４】
例えば、本実施形態では、押し操作式の操作ボタンを例示したが、これに限定されず、押し操作式以外の可動式の操作ボタンやタッチ式の操作ボタンなどに本発明を適用することが可能である。
【符号の説明】
【００５５】
１  カメラ
１０〜１３  操作ボタン
２０  ボタンベース
５０〜５２  ＬＥＤ
２０１，２１１，２２１  第１反射部
２０２，２１２，２２２  第２反射部
【図１】
2019075242.tif 000003
【図２】
2019075242.tif 000004
【図３】
2019075242.tif 000005
【図４】
2019075242.tif 000006
【図５】
2019075242.tif 000007
【図６】
2019075242.tif 000008
【図７】
2019075242.tif 000009
【図８】
2019075242.tif 000010
【図９】
2019075242.tif 000011